(57)【要約】【課題】機器の動作中は機器本体からのトレイの抜き出しを確実に防止することができるトレイロック装置及びこのトレイロック装置を備えた記録装置を提供すること。【解決手段】機器本体１０１に対して抜き差し可能なトレイ１２０の抜き出しをロックするトレイロック装置２００に、手動で動作する第１のロック２１０と、機器の駆動・停止状態に従って動作する第２のロック２２０とを備える。これにより、機器本体からのトレイの抜き出しは第１のロック及び第２のロックという２つのロックで規制されることになるので、例えば機器の動作中は第１のロックをロック解除しても第２のロックはロックされた状態が維持されるように設定し、トレイが機器本体から不用意に抜き出されないようにすることができる。【選択図】      図８
2004196526.tif 000002
【特許請求の範囲】
【請求項１】
機器本体に対して抜き差し可能なトレイの抜き出しをロックするトレイロック装置であって、
手動で動作する第１のロックと、
機器の駆動・停止状態に従って動作する第２のロックとを備えたことを特徴とするトレイロック装置。
【請求項２】
前記第１のロックは、前記トレイを前記機器本体から抜き出す際のトリガーボタンの操作と連動してロック解除することを特徴とする請求項１に記載のトレイロック装置。
【請求項３】
前記第２のロックは、前記機器が停止状態であるときにロック解除することを特徴とする請求項１または２に記載のトレイロック装置。
【請求項４】
トレイ内に収納された記録媒体を搬送して記録する記録装置であって、
請求項１〜３の何れか一項に記載のトレイロック装置を備えたことを特徴とする記録装置。
【請求項５】
少なくとも前記トレイの着脱が同一の装置側面側にて実行可能なことを特徴とする請求項４に記載の記録装置。
【発明の詳細な説明】
【０００１】
【発明の属する技術分野】
本発明は、機器本体に対して抜き差し可能なトレイの抜き出しをロックするトレイロック装置及びこのトレイロック装置を備えた記録装置に関する。
【０００２】
【従来の技術】
例えば従来の記録装置は、箱状の装置本体の上面に開閉可能な原稿カバーが配設され、装置本体の側面に抜き差し可能な記録紙カセット（トレイ）及びこの記録紙カセットの抜き出し規制機構を規制解除するレバーが配設されている。このような構成の記録装置を使用して原稿をコピーする場合、レバーを操作して記録紙カセットの抜き出し規制機構を規制解除した後、記録紙カセットを装置本体から抜き出す。続いて、記録紙を記録紙カセット内に収納し、記録紙が収納された記録紙カセットを装置本体へ差し込む。そして、原稿カバーを開いて原稿を原稿読み取り面上に載置し、原稿カバーを閉じてコピーボタンを押す。これにより、原稿が読み取られて記録紙に記録され、記録済みの記録紙が装置本体外へ排出される（特許文献１参照）。
【特許文献１】
特開平５−２６８３９９号公報
【０００３】
【発明が解決しようとする課題】
上述した記録装置におけるレバーは、記録装置の作動状態に関わらず常に操作可能であるため、例えば記録中にレバーを操作して記録紙カセットの抜き出し規制機構を規制解除して、記録紙カセットを装置本体から抜き出した場合、搬送中の記録紙の後端が記録紙カセットに引っ掛かり、最悪はジャムが発生するおそれがある。
【０００４】
本発明は、上記のような課題に鑑みなされたものであり、その目的は、機器の動作中は機器本体からのトレイの抜き出しを確実に防止することができるトレイロック装置及びこのトレイロック装置を備えた記録装置を提供することにある。
【０００５】
【課題を解決するための手段】
上記目的達成のため、本発明に係るトレイロック装置では、機器本体に対して抜き差し可能なトレイの抜き出しをロックするトレイロック装置であって、手動で動作する第１のロックと、機器の駆動・停止状態に従って動作する第２のロックとを備えたことを特徴としている。これにより、機器本体からのトレイの抜き出しは第１のロック及び第２のロックという２つのロックで規制されることになるので、例えば機器の動作中は第１のロックをロック解除しても第２のロックはロックされた状態が維持されるように設定し、トレイが機器本体から不用意に抜き出されないようにすることができる。
【０００６】
前記第１のロックは、前記トレイを前記機器本体から抜き出す際のトリガーボタンの操作と連動してロック解除することを特徴としている。これにより、トリガーボタンを１回押すのみでトレイのロック解除と抜き出しを行うことができ、トレイロック装置の操作性を高めることができる。
【０００７】
前記第２のロックは、前記機器が停止状態であるときにロック解除することを特徴としている。これにより、例えば機器が記録装置である場合、記録中にはトレイを装置本体から抜き出すことができないので、搬送中の記録媒体とトレイとの干渉を防止することができる。
【０００８】
上記目的達成のため、本発明に係る記録装置では、トレイ内に収納された記録媒体を搬送して記録する記録装置であって、上記各トレイロック装置を備えたことを特徴としている。これにより、上記各作用効果を奏する記録装置を提供することができる。そして、少なくとも前記トレイの着脱が同一の装置側面側にて実行可能なことを特徴としている。これにより、上記各作用効果を奏する前面操作型の記録装置を提供することができる。
【０００９】
【発明の実施の形態】
以下、図面に基づいて本発明の実施の形態について詳細に説明する。
【００１０】
図１は、本発明の実施の形態に係る記録装置の１つであるインクジェット式プリンタの構成例を斜め前方から見た斜視図である。このインクジェット式プリンタ１００は、上方から見たときに凸形状をした扁平な略直方体の形状をしており、一側面（以下、前面という）側から全ての操作を行うことが可能なように構成されている。したがって、装置上面には可動部や操作部等が無く、装置上面は平坦に形成されているので、装置上面に周辺機器等を載置することが可能となっている。
【００１１】
また、上記前面側に対する背面側の両端もしくは一端の切り欠き部には、各種のケーブルコネクタを配設することが可能なように構成されている。このケーブルコネクタとしては、例えばＡＣ１００Ｖの電源コネクタ、ＵＳＢポート、パラレル（ＲＳ２３２Ｃ）ポート等があり、電源コネクタには電源ケーブルコネクタが、ＵＳＢポートにはＵＳＢケーブルコネクタが、パラレルポートにはパラレルケーブルコネクタがそれぞれ接続される。このとき、切り欠き部は、各ケーブルコネクタが背面から飛び出ないような大きさに切り欠かれているので、インクジェット式プリンタ１００を切り欠き部が無い矩形状の面積とほぼ同等のスペースに設置することができる。
【００１２】
さらに、このインクジェット式プリンタ１００の前面から切り欠き部の背面までの距離が、切り欠き部の無い直方体状のプリンタの場合の前面から背面までの距離に比べて短くなるので、１枚の基板に前面側のインターフェース部品と背面側のインターフェース部品を実装する場合に、基板の奥行き寸法を小さくすることができ、部品の実装効率を向上させることができると共に、コストダウンを図ることができる。
【００１３】
このインクジェット式プリンタ１００の後述する図４等に示す用紙搬送部１４０や記録部１５０等は、前面側が開放された筐体１０１及びこの筐体１０１の前面側にはめ込まれた前枠１０２により覆われている。筐体１０１は、例えば金属板の板金加工により、あるいはプラスチックの射出成形により形成され、前枠１０２は、例えばプラスチックの射出成形により形成されている。筐体１０１は、例えば底板と上蓋に分割可能に形成されており、底板と上蓋は、ネジ止めもしくはスナップフィット等により締結されるようになっている。前枠１０２は、筐体１０１に対してネジ止めもしくはスナップフィット等により締結されるようになっている。
【００１４】
前枠１０２の略中央部には、図示矢印ａで示す主走査方向（記録ヘッド１５３の走査方向）を回動軸として図示矢印ｂで示す方向に開閉自在な排紙される記録用紙を受けるためのスタッカ１１０が配設され、このスタッカ１１０の下部には、図示矢印ｃで示す副走査方向（記録用紙の搬送方向）に抜き差し自在な給紙する記録用紙を収納するためのトレイ１２０が配設されている。
【００１５】
スタッカ１１０は、図１に示すように、前枠１０２に対して閉じているときは格納状態であり、図２に示すように、前枠１０２に対して開いているときは記録完了後に排紙される記録用紙を受けて載置が可能なように構成されている。トレイ１２０は、図１に示すように、前枠１０２に対して後方の筐体１０１内に収納された状態にて記録用紙の供給が可能であり、図３に示すように、前枠１０２に対して前方へ引き出された状態にて記録用紙の補充や交換が可能なように構成されている。この記録用紙としては、普通紙、専用紙、推奨ＯＨＰシート、光沢紙、光沢フィルム、ラベルシート、官製葉書等が利用できる。
【００１６】
図２は、上記スタッカ１１０を開にして記録用紙が受けられるようにした状態を示す斜視図である。このスタッカ１１０は、３段構成となっており、下部両端が前枠１０２に回動可能なように取り付けられた基台１１１と、この基台１１１に対し出し入れ自在に収納された第１の受け台１１２と、この第１の受け台１１２に対し出し入れ自在に収納された第２の受け台１１３を備えている。
【００１７】
基台１１１の両側面の下部には、回動軸となる突起が形成され、基台１１１の両側面に対向する前枠１０２の面の下部には、上記突起が回動可能に填め込まれる孔が形成されている。基台１１１に形成されている突起が前枠１０２に形成されている孔内にそれぞれ差し込まれることにより、基台１１１は前枠１０２に対して略垂直状態から略水平状態までの間を回動し、排紙口を開閉するようになっている。
【００１８】
また、基台１１１の一側面に対向する前枠１０２の面の上部から内部にかけて、基台１１１の回動止めとなるロック機構が取り付けられ、基台１１１の一側面の上部には、上記ロック機構を構成するボールが填め込まれる凹部が形成されている。このロック機構は、ボールが前枠１０２の面から突き出るように取り付けられ、前枠１０２の面に対して内部で垂直方向にスライド可能なボールプランジャと、このボールプランジャを前枠１０２の面方向に垂直に付勢する圧縮コイルバネを備えている。
【００１９】
これにより、基台１１１が開状態のときは、ボールプランジャは圧縮コイルバネにより付勢されて、ボールが前枠１０２の面から突き出ている。一方、基台１１１が閉じられてきて基台１１１の一側面の縁部がボールに対し接触・押圧すると、ボールプランジャがボールとともに前枠１０２の面から内部にスライドする。そして、基台１１１が完全に閉じられると、ボールプランジャは圧縮コイルバネにより付勢されて、ボールが前枠１０２の面から突き出て凹部に填り込み、基台１１１の閉状態をロックする。
【００２０】
基台１１１は、前方に引き出された状態の第１の受け台１１２の後端部を保持し、第１の受け台１１２は、前方に引き出された状態の第２の受け台１１３の後端部を保持している。第１及び第２の受け台１１２、１１３が引き出された状態のスタッカ１１０は、例えばＡ４サイズの大きさの記録用紙より若干大きく作製されている。
【００２１】
基台１１１と第１の受け台１１２の収納口の両端部には、ガイドとなる突起が設けられ、第１の受け台１１２と第２の受け台１１３の両側面には、上記各突起が填め込まれるガイド溝が設けられている。これにより、上記各突起がガイド溝内にてスライドするので、第１の受け台１１２の基台１１１に対する出し入れ及び第２の受け台１１３の第１の受け台１１２に対する出し入れをスムーズに行うことができる。さらに、上記各突起が収納口にてガイド溝壁に係止されるので、第１の受け台１１２の基台１１１に対する引き抜けや、第２の受け台１１３の第１の受け台１１２に対する引き抜けを防止することができる。
【００２２】
図３は、上記トレイ１２０を引き出して記録用紙が収納可能なようにした状態を示す斜視図である。このトレイ１２０は、記録前の記録用紙を積層収納する本体１２１と、積層収納した記録用紙を１枚ずつ供給するために記録用紙の前部を斜め上方に持ち上げるホッパ１２２を有している。
【００２３】
本体１２１は、例えばＡ４サイズの大きさの記録用紙より若干大きく作製されており、記録用紙を内部に配設されている記録用紙の幅方向の位置決め用部材１２１ａ及び図示しない長さ方向の位置決め用部材により所定位置に位置決めして積層収納するようになっている。各位置決め用部材は、幅や長さを段階的に調整可能なスライダ及びストッパを備えており、ストッパを外してスライダをスライドさせ、スライダを本体１２１内に収納された記録用紙の側面に当接させてストッパを掛けることにより、記録用紙を位置決めするようになっている。
【００２４】
本体１２１は、前枠１０２から飛び出ずに面一となるように筐体１０１内に収納されるため引き出しが困難となるおそれがあるが、前面の下部内側にユーザが指を掛けることができる凹部が形成されており、これによりトレイ１２０の引き出しを容易に行うことができるようになっている。さらに、本体１２１の側面をガイドするガイドレールが筐体１０２内に配設されており、これによりトレイ１２０の出し入れをスムーズに行うことができるようになっている。
【００２５】
ここで、上述したようにトレイ１２０はインクジェット式プリンタ１００の前面側で抜き差しされるため、後述する用紙搬送部１４０はトレイ１２０の上方に配設されている。したがって、トレイ１２０から用紙搬送部１４０へ記録用紙を供給するには、トレイ１２０内の記録用紙を一旦持ち上げる必要があり、またトレイ１２０を抜き差しする際に記録用紙が用紙搬送部１４０と干渉しないようにするには、トレイ１２０内の記録用紙を一旦下げる必要があり、このためにホッパ１２２が配設されている。
【００２６】
ホッパ１２２は、本体１２１内の前部に配設された用紙支持部１２２ａ及びこの用紙支持部１２２ａと一体形成された脚部１２２ｂを有しており、脚部１２２ｂと本体１２１の内底面に係止されている付勢部材１２２ｃにより、脚部１２２ｂの端部を中心に旋回する用紙支持部１２２ａにより記録用紙の前部を斜め上方に持ち上げ、また持ち上げた記録用紙の前部を下げるようになっている。
【００２７】
図４は、前枠１０２、スタッカ１１０及びトレイ１２０を取り外した状態を示す斜視図、図５は、筐体１０１、前枠１０２及びスタッカ１１０を取り外した状態を示す斜視図、図６は、その平面図、図７は、その側面図である。トレイ１２０の上部には用紙搬送部１４０が配設され、この用紙搬送部１４０の上方には記録部１５０が配設されている。
【００２８】
用紙搬送部１４０は、記録用紙を筐体１０１内に収納されているトレイ１２０から前面側に引き出されているスタッカ１１０まで搬送する機能を有しており、後面側から前面側にかけて以下の部材が順に配設されている。すなわち、トレイ１２０の上部に配設されている第１紙案内１４１（図５〜７参照）、上下に対向配置されている給紙ローラ１４２（図５〜７参照）とパッド１４３ａ（図７参照）を有するパッドホルダ１４３（図７参照）が配設されている。
【００２９】
さらに、パッドホルダ１４３を支持する第２紙案内１４４（図７参照）、上下に対向配置されている従動ローラ１４５（図５〜７参照）と紙送りローラ１４６（図５〜７参照）、記録部１５０の下部に配設されている第３紙案内１４７（図５〜７参照）、上下に対向配置されている排紙ギザローラ１４８（図５〜７参照）と排紙ローラ１４９（図５、７参照）が配設されている。
【００３０】
給紙ローラ１４２は、ホッパ１２２により持ち上げられた記録用紙のうち最上層の記録用紙の前部に接触して摩擦により引き込むようになっている。パッドホルダ１４３に取り付けられているパッド１４３ａは、給紙ローラ１４２により引き込まれた記録用紙が複数枚あるとき、最上層の記録用紙のみが搬送されるように最上層の記録用紙とそれより下層の記録用紙とを分離して、下層の記録用紙をトレイ１２０内に戻すようになっている。
【００３１】
従動ローラ１４５と紙送りローラ１４６は、給紙ローラ１４２から搬送されてくる記録用紙を挟持して送り出すようになっている。排紙ギザローラ１４８と排紙ローラ１４９は、従動ローラ１４５と紙送りローラ１４６から搬送されてくる記録用紙を挟持して送り出すようになっている。そして、各紙案内１４１、１４４、１４７は、一部に凸部が形成された平坦な面を有しており、凸部により搬送中の記録用紙面を支持して記録用紙を平坦な状態に維持するようになっている。
【００３２】
記録部１５０は、主走査方向に移動可能なキャリッジ１５１（図５〜７参照）、キャリッジ１５１に対して前後方向に脱着可能に取り付けられたインクカートリッジ１５２（図５〜７参照）、キャリッジ１５１に搭載された記録ヘッド１５３（図７参照）、キャリッジ１５１の移動を案内するガイド軸１５４（図５〜７参照）、記録ヘッド１５３と制御部１６０の専用コントローラボード等を電気的に接続するフレキシブル配線板１５５（図５、６参照）等を備えている。
【００３３】
キャリッジ１５１は、インクジェット式プリンタ１００が非記録状態であるオフ状態もしくはスタンバイ状態のときは図４〜６に示す待機位置（ホームポジション）に位置しており、記録状態のときはホームポジションを離脱して搬送されてくる記録用紙の両端部間を往復移動するようになっている。インクカートリッジ１５２は、例えばイエロー、マゼンタ、シアン、ブラックの計４色のタンクを備えており、フルカラー記録が可能なように構成されている。
【００３４】
記録ヘッド１５３は、インクカートリッジ１５２の上記各色毎のタンクに繋がる複数の圧力発生室とそれらに繋がるノズルを備えており、例えば圧電素子や発熱素子等により圧力発生室内の圧力を変動させて、圧力発生室内に貯留されているインクをノズルから吐出させるようになっている。なお、記録ヘッド１５３は、ホームポジションに位置しているときは、インク乾燥等によるノズルの目詰まり等を防止するために、キャッピング装置により封止されている。
【００３５】
ガイド軸１５４は、例えば軸受を介して取り付けられているキャリッジ１５１が摺動可能なように配設されている。フレキシブル配線板１５５は、キャリッジ１５１の往復移動の際に、キャリッジ１５１等と干渉せず、かつ折り曲げられないように、主走査方向に湾曲させて配設されている。
【００３６】
そして、図５、６に示すように、用紙搬送部１４０を駆動する搬送駆動部１７０として駆動モータ１７１及びギア機構１７２が、用紙搬送部１４０の一側面側に配設され、記録部１５０の記録駆動部１８０として駆動モータ１８１及びベルト機構１８２が、記録部１５０の後方側に配設されている。
【００３７】
駆動モータ１７１としては、例えばステッピングモータが使用されるが、ＤＣモータを使用してもよい。ギア機構１７２としては、通常のギア輪列が使用されるが、ベルト機構を併用してもよい。なお、このギア機構１７２の途中には、記録用紙の搬送位置を検出するためのエンコーダが配設されている。
【００３８】
また、駆動モータ１８１としては、例えばＤＣモータが使用されるが、ステッピングモータを使用してもよい。ベルト機構１８２としては、歯付きベルトと歯付きプーリが高精度であるため望ましいが、平ベルトとプーリでもよい。なお、このベルト機構１８２のベルトと平行して、キャリッジ１５１の移動位置を検出するためのリニアエンコーダが配設されている。
【００３９】
図８及び図９は、本発明の実施形態であるトレイロック装置のロック状態及びロック解除状態を示す斜視図である。このトレイロック装置２００は、上記トレイ１２０の筐体１０１からの抜き出しをロックする機能を有しており、主ロック２１０と副ロック２２０を備えている。主ロック２１０は、手動で動作し、副ロック２２０は、インクジェット式プリンタ１００の駆動・停止状態に従って動作する。
【００４０】
主ロック２１０は、図８に示すように、略Ｌ字状を形成するように一体化された係止部２１１と軸部２１２を備えている。係止部２１１は、楔形状に形成されている。軸部２１２は、トレイ１２０を筐体１０１から抜き出す際のトリガーとなる取出ボタン１０３が押されたとき、軸回転して係止部２１１が旋回するように、軸端部に取出ボタン１０３に形成されているギア１０３ａと噛み合うギア２１２ａが形成されている。
【００４１】
これにより、図８に示すように、係止部２１１は、トレイ１２０が筐体１０１内に差し込まれると、トレイ１２０の側壁に沿って持ち上げられ、トレイ１２０の側壁に設けられている主ロック溝１２３に入り込み、主ロック溝１２３の側面と当接してトレイ１２０の筐体１０１からの抜き出しをロックするようになっている。一方、図９に示すように、係止部２１１は、取出ボタン１０３が押されると、軸部２１２が回転して主ロック溝１２３から離間し、トレイ１２０の筐体１０１からの抜き出しのロックを解除するようになっている。
【００４２】
副ロック２２０は、図８に示すように、略Ｚ字状を形成するように一体化された係止部２２１と軸部２２２を備えている。係止部２２１は、直方体状に形成されている。軸部２２２は、記録ヘッド１５３の封止用のキャップ１５７を上下動するキャップ駆動カム１５８が回転したとき、係止部２２１とともに直線移動するように、軸端部にキャップ駆動カム１５８に取り付けられているギア１５８ａと噛み合うギア２２２ａが形成されている。
【００４３】
これにより、図８に示すように、係止部２２１は、キャップ駆動カム１５８が回転してキャップ１５７が開状態、すなわち記録ヘッド１５３による記録中は、トレイ１２０の側壁に設けられている副ロック溝１２４に入り込み、副ロック溝１２４の側面と当接してトレイ１２０の筐体１０１からの抜き出しをロックするようになっている。一方、図９に示すように、係止部２２１は、キャップ駆動カム１５８が回転してキャップ１５７が閉状態、すなわち記録ヘッド１５３が待機中（非記録中あるいは停止中）は、軸部２２２とともに直線移動して副ロック溝１２４から離間し、トレイ１２０の筐体１０１からの抜き出しのロックを解除するようになっている。
【００４４】
このような構成において、図１０に示すように、記録ヘッド１５３による記録中は、トレイ１２０は筐体１０１内に差し込まれているので、主ロック２１０の係止部２１１は主ロック溝１２３に入り込み、トレイ１２０の筐体１０１からの抜き出しはロックされている。さらに、キャップ駆動カム１５８が回転してキャップ１５７は開状態であるため、副ロック２２０の係止部２２１も副ロック溝１２４に入り込み、トレイ１２０の筐体１０１からの抜き出しはロックされている。
【００４５】
ここで、図１１に示すように、記録中に取出ボタン１０３が押された場合、主ロック２１０の軸部２１２が回転するので、係止部２１１は主ロック溝１２３から離間し、トレイ１２０の筐体１０１からの抜き出しはロック解除される。ところが、記録中であるため、キャップ１５７は開状態であり、副ロック２２０の係止部２２１は副ロック溝１２４に入り込んだままであるので、トレイ１２０の筐体１０１からの抜き出しはロックされた状態が維持されることになる。
【００４６】
また、図１２に示すように、記録ヘッド１５３が待機中（非記録中あるいは停止中）は、トレイ１２０は筐体１０１内に差し込まれているので、主ロック２１０の係止部２１１は主ロック溝１２３に入り込み、トレイ１２０の筐体１０１からの抜き出しはロックされている。一方、キャップ駆動カム１５８が回転してキャップ１５７は閉状態であるため、副ロック２２０の係止部２２１は副ロック溝１２４から離間し、トレイ１２０の筐体１０１からの抜き出しはロック解除されている。
【００４７】
したがって、図１３に示すように、待機中（非記録中あるいは停止中）に取出ボタン１０３が押された場合、主ロック２１０の軸部２１２が回転するので、係止部２１１は主ロック溝１２３から離間し、トレイ１２０の筐体１０１からの抜き出しはロック解除され、トレイ１２０は筐体１０１から抜き出されることになる。
【００４８】
以上のように、トレイ１２０の抜き出しは主ロック２１０と副ロック２２０という２つのロックで規制されることになるので、記録中にはトレイ１２０が筐体１０１から不用意に抜き出されないようにすることができ、搬送中の記録用紙とトレイ１２０との干渉やジャム等を防止することができる。
【００４９】
なお、上述した実施形態では、記録中に取出ボタン１０３を押したとき主ロック２１０は一旦ロック解除され、取出ボタン１０３を離したとき主ロック２１０は再びロックされるように構成したが、記録中に取出ボタン１０３を押してから離しても、主ロック２１０は記録終了後に副ロック２２０がロック解除されるまでロック解除された状態で待機するように構成してもよい。また、取出ボタン１０３の操作によりオンとなる記録中止スイッチを配設しておき、記録中に取出ボタン１０３を押したときは直に主ロック２１０及び副ロック２２０がロック解除されように構成してもよい。また、上述した実施形態では、副ロック２２０はギアにより機械的に駆動するようにしたが、ソレノイドプランジャにより電気的に駆動するように構成してもよい。
【００５０】
以上のような構成のインクジェット式プリンタ１００において、その動作の概略を説明する。なお、インクジェット式プリンタ１００とテレビジョン・システムやコンピュータ等との接続配線や電源プラグの接続は既に完了しているものとする。先ず、ユーザは、図１に示す状態で指で取出ボタン１０３を押した後、指をトレイ１２０の底面に設けられている凹部に掛けて引っ張ることにより、図２に示すようにトレイ１２０を前方へ引き出す。
【００５１】
続いて、トレイ１２０の本体１１１内の所定位置に複数枚の記録用紙を積層した状態で収納した後、トレイ１２０を後方へ押し込んでセットする。このとき、記録用紙の前部はホッパ１１２により斜め上方に持ち上げられ、最上部の記録用紙の前部先端が給紙ローラ１４２に接触する。次に、ユーザは、指をスタッカ１１０の上部に掛けて引っ張ることにより、図３に示すようにスタッカ１１０を前方へ引き出す。そして、インクジェット式プリンタ１００をスタンバイ状態にし、テレビジョン・システムやコンピュータ等から記録指令を入力する。
【００５２】
すると、図７に示すように、トレイ１２０内の最上部の１枚の記録用紙Ｐは、第１紙案内１４１と第２紙案内１４４に案内されつつ、給紙ローラ１４２の回転により副走査方向である前方へ引き出されて給紙ローラ１４２とパッド１４３ａとの間に挟持されて更に前方へ送り出される。このとき、記録用紙Ｐがトレイ１２０内の最上部の１枚のみでなく複数枚あるときは、最上部の記録用紙Ｐとそれより下部の記録用紙Ｐとがパッド１４３ａにより分離され、最上部の記録用紙Ｐのみが給紙ローラ１４２とパッド１４３ａとの間に挟持されて更に前方へ送り出され、下部の記録用紙Ｐはトレイ１２０内に戻される。
【００５３】
そして、最上部の記録用紙Ｐは、従動ローラ１４５と紙送りローラ１４６との間に挟持されて更に前方へ送り出される。その記録用紙Ｐが第３紙案内１４７に達すると、キャリッジ１５１の主走査方向への移動が開始される。すなわち、待機位置（ホームポジション）に位置してしたキャリッジ１５１は、ホームポジションを離脱して搬送されてくる記録用紙Ｐの両端部間を往復移動する。そして、記録ヘッド１５３は、副走査方向に搬送されつつある記録用紙Ｐに対し例えば圧電素子により圧力発生室内の圧力を変動させて、圧力発生室内に貯留されているインクをノズルから吐出して、記録用紙Ｐ上に所定の記録情報を記録する。
【００５４】
このときの記録ヘッド１５３の走査タイミングやインク吐出タイミングは、制御部１６０の専用コントローラボード等により制御され、高精度なインクドット制御、ハーフトーン処理等が実行されるようになっている。そして、その記録用紙Ｐは、排紙ギザローラ１４８と排紙ローラ１４９との間に挟持されて更に前方へ送り出され、最終的に記録が完了した記録用紙Ｐはスタッカ１１０上に排紙される。
【００５５】
以上のように、このインクジェット式プリンタ１００によれば、記録前の記録用紙Ｐのセッティングから記録後の記録用紙Ｐの取り出し、さらにはインクカートリッジ１５２の交換等にいたるまで前面側で全て処理することができるので、操作が迅速かつ容易となり、記録効率を向上させることができると共に、プリンタ上部への周辺機器の設置が可能となり、作業空間を有効利用することができる。
【００５６】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてプリンタを例に説明したが、これに限られるものではなく、例えばファクシミリ装置やコピー装置等の記録装置にも適用可能である。
【図面の簡単な説明】
【図１】本発明の実施の形態に係る記録装置の１つであるインクジェット式プリンタの構成例を斜め前方から見た斜視図である。
【図２】図１のインクジェット式プリンタのスタッカを開にして記録用紙が受けられるようにした状態を示す斜視図である。
【図３】図１のインクジェット式プリンタのトレイを引き出して記録用紙が収納可能なようにした状態を示す斜視図である。
【図４】図１のインクジェット式プリンタの前枠、スタッカ及びトレイを取り外した状態を示す斜視図である。
【図５】図１のインクジェット式プリンタの筐体、前枠及びスタッカを取り外した状態を示す斜視図である。
【図６】図５のインクジェット式プリンタの平面図である。
【図７】図５のインクジェット式プリンタの側面図である。
【図８】本発明の実施形態であるトレイロック装置のロック状態を示す斜視図である。
【図９】図８のトレイロック装置のロック解除状態を示す斜視図である。
【図１０】記録中における図８のトレイロック装置の状態を示す第１の斜視図である。
【図１１】記録中における図８のトレイロック装置の状態を示す第２の斜視図である。
【図１２】非記録中における図８のトレイロック装置の状態を示す第１の斜視図である。
【図１３】非記録中における図８のトレイロック装置の状態を示す第２の斜視図である。
【符号の説明】
１００  インクジェット式プリンタ、１０１  筐体、１０２  前枠、１０３  取出ボタン、１１０  スタッカ、１１１  基台、１１２  第１の受け台、１１３第２の受け台、１２０  トレイ、１２１  本体、１２２  ホッパ、１２３  主ロック溝、１２４  副ロック溝、１４０  用紙搬送部、１４１  第１紙案内、１４２  給紙ローラ、１４３  パッドホルダ、１４４  第２紙案内、１４５  従動ローラ、１４６  紙送りローラ、１４７  第３紙案内、１４８  排紙ギザローラ、１４９  排紙ローラ、１５０  記録部、１５１  キャリッジ、１５２  インクカートリッジ、１５３  記録ヘッド、１５４  ガイド軸、１５５  フレキシブル配線板、１５７  キャップ、１５８  キャップ駆動カム、１６０  制御部、１７０  搬送駆動部、１７１  駆動モータ、１７２  ギア機構、１８０  記録駆動部、１８１  駆動モータ、１８２  ベルト機構、２００  トレイロック装置、２１０  主ロック、２１１、２２１  係止部、２１２、２２２  軸部、２２０  副ロック
【図１】
2004196526.tif 000003
【図２】
2004196526.tif 000004
【図３】
2004196526.tif 000005
【図４】
2004196526.tif 000006
【図５】
2004196526.tif 000007
【図６】
2004196526.tif 000008
【図７】
2004196526.tif 000009
【図８】
2004196526.tif 000010
【図９】
2004196526.tif 000011
【図１０】
2004196526.tif 000012
【図１１】
2004196526.tif 000013
【図１２】
2004196526.tif 000014
【図１３】
2004196526.tif 000015